(57)【要約】【課題】鍵管理システムにおいて多数の鍵ユニット２を簡単な構成で保管及び管理できるようにする。【解決手段】パネル１１に複数のホルダ１，１，…を縦横に２次元配列する。ホルダ１，１に鍵ユニット２を保持する。鍵ユニット２の札にＩＣタグを取り付けておく。パネル１１の背面に縦長のアンテナ１４を配置し、アンテナ１４をモータ１８、減速器１７及びベルト１６で往復移動する。アンテナ１４で鍵ユニット２のＩＣタグの識別コードを読み取る。各識別コードと対応するホルダ１の位置を管理情報として記憶する。取り出し時に、対応する鍵ユニット２の有るホルダ１のＬＥＤ１ａを点灯する。【選択図】図１
2006348503.tif 000002
【特許請求の範囲】
【請求項１】
鍵と該鍵に対応する識別コードを出力する識別コード出力手段とを有する複数の鍵ユニットを保管する鍵保管装置であって、
前記鍵ユニットを着脱自在に保持するホルダが複数配列して設けられた鍵ユニット保持部と、
前記鍵ユニット保持部に近接して前記ホルダの配列に沿って移動可能に配設され、該ホルダに保持された前記鍵ユニットの識別コード出力手段から出力される識別コードを受信するアンテナと、
該アンテナを移動するアンテナ駆動部と、
を備えたことを特徴とする鍵保管装置。
【請求項２】
前記複数のホルダが縦横の２次元配列で配置され、前記アンテナが縦横のいずれか一方に配置された全ホルダに対応して前記識別コードを受信可能とされ、前記アンテナ駆動部が該アンテナを縦横の他方の方向に移動するように構成されていることを特徴とする請求項１に記載の鍵保管装置。
【請求項３】
前記複数の各ホルダに対応して該ホルダの各々を個別に指示表示するホルダ指示表示手段を備えたことを特徴とする請求項１または２に記載の鍵保管装置。
【請求項４】
前記ホルダ指示表示手段が該ホルダの位置に配置された表示灯あることを特徴とする請求項３に記載の鍵保管装置。
【請求項５】
請求項１乃至４のいずれか一項に記載の鍵保管装置と、
前記アンテナで受信される識別コードと該アンテナの移動位置とにより、前記ホルダに保持されている全鍵ユニットの位置及び識別コードを認識して、該鍵ユニットを管理する管理手段と、
を備えたことを特徴とする鍵管理システム。
【請求項６】
請求項３または４に記載の鍵保管装置と、
前記アンテナで受信される識別コードと該アンテナの移動位置とにより、前記ホルダに保持されている全鍵ユニットの位置及び識別コードを認識して、該鍵ユニットを管理する管理手段と、
を備え、
前記管理手段で認識した鍵ユニットの位置及び識別コードの情報に基づいて、取り出し可能とされる鍵ユニットを保持している前記ホルダに対応する前記ホルダ指示表示手段により、該ホルダを指示表示するようにしたことを特徴とする鍵管理システム。
【発明の詳細な説明】
【技術分野】
【０００１】
本発明は、複数の鍵を一括収納して管理すために多数の鍵を保管する鍵保管装置及びかぎ管理システムに関する。
【背景技術】
【０００２】
従来、オフィスや重要物保管庫などの鍵の管理は、ＩＤ登録した管理者がＩＤを入力して施錠されたボックスを解錠したり、シリンダから必要な鍵を取り出せるようにした鍵管理ボックスが用いられている。例えば、特開２００３−１８４３６２号公報（特許文献１）に開示された技術では、その段落［００２４］に記載されているように、鍵管理部材（ホルダ）には特定の錠機構（ロックユニット）にのみ挿入を可能とする鍵管理部材特定部が設けられており、各ホルダや鍵とそれを挿入するロックユニットやシリンダは、それぞれ対応付けられている。
【０００３】
また、例えば特許第３３４０６８２号公報（特許文献２）に開示された装置は、各鍵に札などのキーホルダを取り付けて、そのキーホルダのデータキャリアに記憶されているＩＤ情報をアンテナで受信し、ＩＤ情報に基づいて鍵の管理を行うものである。また、この特許文献２の技術では、その段落［００１５］等に記載されているように、第１〜第３０の鍵とそのキーホルダが、第１〜第３０の収容部にそれぞれ対応付けられている。すなわち、各鍵の保管場所が定められている。
【特許文献１】特開２００３−１８４３６２号公報
【特許文献２】特許第３３４０６８２号公報
【発明の開示】
【発明が解決しようとする課題】
【０００４】
しかし、従来の鍵管理ボックスは、せいぜい３０個〜５０個程度の鍵の保管及び管理しかできないのが現状であり、大量の鍵を管理する場合、複数の鍵管理ボックスを設置する必要があり、大量の鍵をトータルで管理するのが困難であった。また、従来の技術では鍵毎に保管位置が決められているため次のような問題がある。例えば、特許文献１のように鍵にホルダを付けて保管し、そのホルダの形状違い等によって錠機構（ロックユニット）に対応付けるするものにあっては、それぞれ異なる構造としなければならないので、コストが高くなるとともに、ホルダ（札）の形状や錠機構の構成上、多数の鍵を保管する場合に限度がある。また、鍵管理ボックスから一度に何個もの鍵が引き抜かれている場合、鍵をその保管されていた元の場所に戻すとき、何処に戻したらよいかを、いちいちホルダ（札）の番号等を確認しなければならず、特に、緊急で作業する場合など非常に煩雑となる。
【０００５】
また、構造上の問題として、特許文献１のものにおいては、各錠機構（ロックユニット）にそれぞれ電気錠を必要とし、また、特許文献２のものにおいては、錠機構は不要だが各キーホルダ（札）に対応して多数のアンテナを必要とし、いずれも、大規模な設備となるとともにコスト高となってしまう。
【０００６】
本発明は、各札及び札等を保持する各ホルダをそれぞれ同一の構造とすることを可能にしてコストを低減するとともに、複数の鍵ユニットをホルダに容易に戻すことができ、さらに、簡単な構成で多数の鍵を保管でき、管理し易く使い勝手の良い鍵保管装置、及び鍵管理システムを提供することを課題とする。なお、本発明（及び実施形態）に係る部材名について、従来のキーホルダに相当するものを「札」、鍵ユニット（該札等）を保持する部材を「ホルダ」と呼ぶ。
【課題を解決するための手段】
【０００７】
請求項１の鍵保管装置は、鍵と該鍵に対応する識別コードを出力する識別コード出力手段とを有する複数の鍵ユニットを保管する鍵保管装置であって、前記鍵ユニットを着脱自在に保持するホルダが複数配列して設けられた鍵ユニット保持部と、前記鍵ユニット保持部に近接して前記ホルダの配列に沿って移動可能に配設され、該ホルダに保持された前記鍵ユニットの識別コード出力手段から出力される識別コードを受信するアンテナと、該アンテナを移動するアンテナ駆動部と、を備えたことを特徴とする。
【０００８】
請求項１の鍵保管装置において、鍵ユニット保持部は例えば平板錠のパネル面であってこのパネル面に複数のホルダが配列して配置されている。各ホルダは鍵ユニットを保持することができ、したがって、複数の鍵ユニットを配列して保管できる。また、アンテナはアンテナ駆動部により複数のホルダに沿って移動され、このアンテナにより配列された鍵ユニットの識別コードが受信される。したがって、この受信した識別コードとその識別コードを受信したアンテナの位置とにより、どの鍵ユニットがどのホルダに保持されているかを管理することができる。さらに、ホルダから取り出した鍵ユニットを当該鍵保管装置に戻すとき、空いている任意のホルダに戻すことができる。なお、本発明における鍵ユニットの一例としては、鍵と該鍵に付帯する札とで構成されるとともに識別コード出力手段が識別コードを記憶しているＩＣタグであり、このＩＣタグを前記札に取り付けるようにした構成とすることができる。また、各鍵にＩＣタグ等が取り付けられた構成でもよく、特に、この場合、一つの札に多数の鍵を取り付けたものとすることもできる。
【０００９】
請求項２の鍵保管装置は、請求項１に記載の鍵保管装置であって、前記複数のホルダが縦横の２次元配列で配置され、前記アンテナが縦横のいずれか一方に配置された全ホルダに対応して前記識別コードを受信可能とされ、前記アンテナ駆動部が該アンテナを縦横の他方の方向に移動するように構成されていることを特徴とする。
【００１０】
請求項２の鍵保管装置において、縦横の２次元配列されたホルダに対してアンテナは例えば縦方向に配置された全ホルダに保持された鍵ユニットの識別コードを受信できるので、このアンテナを横方向に移動することにより、２次元配列された全ホルダの鍵ユニットの識別コードを受信でき、請求項１の作用効果に加えて、２次元配列により多数の鍵ユニットを保管できるとともに、アンテナ駆動部の構成が１方向移動という簡単な構成となる。
【００１１】
請求項３の鍵保管装置は、請求項１または２に記載の鍵保管装置であって、前記複数の各ホルダに対応して該ホルダの各々を個別に指示表示するホルダ指示表示手段を備えたことを特徴とする。
【００１２】
請求項３の鍵保管装置において、請求項１または２と同様な作用効果が得られるとともに、ホルダ指示表示手段により、指定された鍵ユニットを保持しているホルダを指示表示することができ、取り出したい鍵ユニットの位置を容易に確認することができる。ホルダ指示表示手段は、ホルダの位置に配置した表示灯でもよいし、別途の画像表示やホルダ番号を表示するような構成でもよい。
【００１３】
請求項４の鍵保管装置は、請求項３に記載の鍵保管装置であって、前記ホルダ指示表示手段が該ホルダの位置に配置された表示灯あることを特徴とする。
【００１４】
請求項４の鍵保管装置において、請求項３と同様な作用効果が得られるとともに、ＬＥＤ等の表示灯によりホルダの位置を直接確認できるとともに、表示のための構成が簡単になる。
【００１５】
請求項５の鍵管理システムは、請求項１乃至４のいずれか一項に記載の鍵保管装置と、前記アンテナで受信される識別コードと該アンテナの移動位置とにより、前記ホルダに保持されている全鍵ユニットの位置及び識別コードを認識して、該鍵ユニットを管理する管理手段と、を備えたことを特徴とする。
【００１６】
請求項５の鍵管理システムにおいて、請求項１乃至４と同様な作用効果が得られる。また、管理手段はどのホルダにどの鍵ユニットが戻されてるかを、いつでも認識することができるので、例えば、鍵を使用する管理者の管理者ＩＤに対してその管理者に使用が許可されている鍵（鍵ユニット）の識別コードを管理者ＩＤに対応付けて管理するこができる。
【００１７】
請求項６の鍵管理システムは、請求項３または４に記載の鍵保管装置と、前記アンテナで受信される識別コードと該アンテナの移動位置とにより、前記ホルダに保持されている全鍵ユニットの位置及び識別コードを認識して、該鍵ユニットを管理する管理手段と、を備え、前記管理手段で認識した鍵ユニットの位置及び識別コードの情報に基づいて、取り出し可能とされる鍵ユニットを保持している前記ホルダに対応する前記ホルダ指示表示手段により、該ホルダを指示表示するようにしたことを特徴とする。
【００１８】
請求項６の鍵管理システムにおいて、請求項５と同様な作用効果が得られるとともに、例えば管理者ＩＤを入力することにより、管理者ＩＤに対応する鍵ユニットを保持しているホルダの指示表示等を行って、鍵の取り出し等が容易になるように制御することができる。
【発明の効果】
【００１９】
請求項１の鍵保管装置によれば、配列して配置された複数のホルダに各鍵ユニットを配列して保管し、アンテナの移動により各鍵ユニットの識別コードを受信するようにしたので、どの鍵ユニットがどのホルダに保持されているかを管理することができ、鍵ユニットを保持する各ホルダをそれぞれ同一の構造とすることを可能にしてコストを低減できるとともに、複数の鍵ユニットをホルダに容易に戻すことができ、さらに、簡単な構成で多数の鍵を保管でき、管理し易く使い勝手が良くなる。
【００２０】
請求項２の鍵保管装置によれば、請求項１の効果に加えて、２次元配列により多数の鍵ユニットを保管できるとともに、アンテナ駆動部の構成が１方向移動という簡単な構成とすることができる。
【００２１】
請求項３の鍵保管装置によれば、請求項１または２と同様な効果が得られるとともに、ホルダ指示表示手段により、取り出したい鍵ユニットの位置を容易に確認することができる。
【００２２】
請求項４の鍵保管装置によれば、請求項３と同様な効果が得られるとともに、ＬＥＤ等の表示灯によりホルダの位置を直接確認できるとともに、表示のための構成が簡単になる。
【００２３】
請求項５の鍵管理システムによれば、請求項１乃至４と同様な効果が得られるとともに、どのホルダにどの鍵ユニットが戻されてるかを、いつでも認識することができるので、例えば、鍵（鍵ユニット）の識別コードを管理者ＩＤに対応付けて管理するこができる。
【００２４】
請求項６の鍵管理システムによれば、請求項５と同様な効果が得られるとともに、例えば管理者ＩＤに対応する鍵ユニットを保持しているホルダの指示表示等を行って、鍵の取り出し等が容易になるように制御することができる。
【発明を実施するための最良の形態】
【００２５】
次に、本発明の鍵保管装置及び鍵管理システムの実施形態を図面を参照して説明する。図１は本発明を適用した「鍵保管装置」としての管理盤１０の平面図（図１(A) ）、正面図（図１(B) ）及び側面図（図１(C) ）、図２は同管理盤１０のホルダ１に鍵ユニット２を保持した状態を示す正面図、図３は同管理盤１０におけるアンテナ１４の送受信範囲を説明する図、図４は実施形態の管理盤１０を用いた鍵管理システムの概略を示す図、図５は同鍵管理システムのブロック図である。
【００２６】
図４に示したように、実施形態の鍵管理システムは管理盤１０を鍵管理室Ａ内に１０台配置し、この１０台の管理盤１０を鍵管理室Ａ内の管理用のパーソナルコンピュータ２０により制御するものである。鍵管理室Ａの扉Ａ１の近傍には入退管理器１００と該入退管理器１００によって施解錠が制御される電気錠１１０が設けられている。また、図５に示したように、パーソナルコンピュータ２０と入退管理器１００は例えばインターネット等によりそれぞれ管理センター２００に接続されており、この管理センター２００との間で通信により各種情報の授受を行う。この実施形態の鍵管理システムは、鍵管理室Ａへの入退室管理を入退管理器１００で行い、鍵管理室Ａ内でパーソナルコンピュータ２０により、管理盤１０の制御を行って、この管理盤１０に保管されている後述の鍵ユニット２の管理を行う。
【００２７】
例えば個人のデータや管理者ＩＤなど管理センター２００に登録済みの管理者が、入退管理器１００で例えばＩＤカード等により管理者ＩＤが認証されると、電気錠１１０が解錠されて鍵管理室Ａに入室できるようになる。入室したら、入退管理器１００を操作して電気錠１１０（扉Ａ１）を施錠する。これにより、この現在認証された管理者ＩＤ及び施錠されたことが管理センター２００からパーソナルコンピュータ２０に送信され、パーソナルコンピュータ２０の操作が可能となる。次に、管理者はパーソナルコンピュータ２０を操作して管理者ＩＤを入力すると、パーソナルコンピュータ２０で管理センター２００から通知された管理者ＩＤと入力された管理者ＩＤとの照合を行い、認証処理をする。認証されると、その管理者ＩＤに対して予め登録されている鍵が保管されている場所（管理盤１０のロケーション等）や鍵番号等をディスプレイに表示する。
【００２８】
管理者は必要な鍵を保管している管理盤１０まで移動すると、その管理盤１０において、必要な鍵を保管しているホルダ１のＬＥＤが点灯しているので、そのホルダ１の鍵ユニット２を取り出し、パーソナルコンピュータ２０で鍵取り出し作業が終了したことを入力する。次に、入退管理器１００で退出処理を行って電気錠１１０を解錠し、退室して施錠する。これにより、パーソナルコンピュータ２０は全ての管理盤１０を制御し、各管理盤１０に保持されている鍵ユニット２の識別コードを読み取り、その識別コードを対応する鍵ユニット２の保管位置の情報とともに管理情報として記憶する。なお、この管理情報を管理センター２００に送信し、管理センター２００で識別コードに基づいて鍵ユニット２の保管状態を管理するようにもできる。
【００２９】
次に、実施形態の管理盤１０について説明する。図１に示すように、この管理盤１０は、「鍵ユニット保持部」としてのパネル１１に複数個のホルダ１，１，…が縦横の２次元配列で配置されている。この実施形態では、ホルダ１，１，…は、縦１０個を一列として横に１００列配分合計１０００個を配置したものである。各ホルダ１，１，…には鍵ユニット２，２，…が着脱自在に保持されるとともにに、各ホルダ１，１，…の正面には「ホルダ指示表示手段」としてのＬＥＤ１ａ，１ａ，…が配設されている。なお、ＬＥＤ１ａ，１ａ，…は、図５に示したように電源コントローラ４０に接続され、パーソナルコンピュータ２０によって点灯及び消灯が制御される。「鍵ユニット保持部」としてはパネル１１に限らず複数個のホルダ１，１，…を配列したものであればよい。
【００３０】
図１(C) に示したように、パネル１１の裏面には上下にガイドレール１２，１２が配設され、このガイドレール１２，１２によって縦長のアンテナベース１３が保持されている。アンテナベース１３のパネル１１側には上下方向に縦長のアンテナ１４が取り付けられている。また、パネル１１の裏面には軸１５，１５によって保持されたベルト１６が配設されており、このベルト１６の一箇所にアンテナベース１３が固定されている。ベルト１６は減速器１７を介してモータ１８により駆動され、アンテナベース１３及びアンテナ１４はパネル面１１に対して横方向（図１(A) の矢印方向）に往復移動可能となっている。なお、パネル１１に対するアンテナベース１３（したがってアンテナ１４）の往復移動方向の位置はエンコーダ１９により検出される。なお、アンテナベース１３、ベルト１６、減速器１７及びモータ１８が「アンテナ駆動部」を構成している。
【００３１】
図２に示すように、鍵ユニット２は合成樹脂製の札２１にワイヤ２１ａにより複数の鍵２２，…を取り付けたものであり、札２１には「識別コード出力手段」としてのＩＣタグ２１ｂが取り付けられている。この札２１のＩＣタグ２１ｂには当該鍵ユニット２に固有の識別コードが記録され、該識別コードを送信する。そして、このＩＣタグ２１ｂの識別コードはパネル１１の裏面からアンテナ１４により読み取られる。また、札２１はホルダ１に対して上部から挿入し、ホルダ１に鍵ユニット２を保持することができる。さらに、札２１を上に引き抜くことによりホルダ１から取り出すことができる。なお、全ての鍵ユニット２，２，…と全てのホルダ１，１，…は同一構造である。
【００３２】
アンテナ１４は縦一列分の１０個のホルダ１，１，…との間で送受信可能な範囲をカバーしている。例えば、図３に示したように、アンテナ１４には各ホルダ１，１，…に対応する送受信領域Ｅ，Ｅ，…が設定されており、これらの送受信領域Ｅ，Ｅ，…は図５に示すアンテナコントローラ３０によってスキャンされる。すなわち、アンテナコントローラ３０は各送受信領域Ｅ，Ｅ，…を時分割にアクティブにし、現在アクティブとした送受信領域ＥからＩＣタグ２１ｂへの電源供給のための誘起電波を送信するとともに、送受信領域ＥでＩＣタグ２１ｂからの識別コードを受信する。なお、このとき、ＩＣタグ２１ｂは、誘起電波を受信すると受信回路で誘起された電圧でＩＣ回路を駆動し、記憶されている識別コードを送信するものである。
【００３３】
また、モータ１８は電源コントローラ４０により駆動され、アンテナホルダ１３（及びアンテナ１４）の往復移動時の移動位置がエンコーダ１９で検出され、この移動位置の情報と前記アンテナ１４における送受信領域Ｅ，Ｅ，…の現在アクティブとなっている位置の情報とが、パーソナルコンピュータ２０に取り込まれる。パーソナルコンピュータ２０はこれらの位置の情報により、受信した識別コードがどのホルダ１で受信されたものかを判断することができるので、識別コードをホルダ１の位置に対応付けて管理情報としてメモリに記憶する。各識別コードは鍵ホルダ２に固有のものであるので、この管理情報により、どの鍵ユニット２がどのホルダ１に保持されているかを判断することができる。そして、パーソナルコンピュータ２０は、管理者が鍵ユニット２の取り出しを行うとき、この管理情報を参照し、管理者ＩＤに対応する鍵ユニット２を保持してるホルダ１のＬＥＤ１ａを点灯制御する。
【００３４】
このように、実施形態では、複数のホルダ１，１，…が縦横の２次元配列で配置され、アンテナ１４が縦に配置された全ホルダ１，１，…に対応して識別コードを受信可能とされ、アンテナベース１３、ベルト１６、減速器１７及びモータ１８が、アンテナ１４を横方向に移動するように構成されている。したがって、ホルダ１，１，…の２次元配列により多数の鍵ユニット２を保管できるとともに、「アンテナ駆動部」の構成が１方向移動という簡単な構成となっている。なお、「アンテナ駆動部」は実施形態のものに限らずアンテナ１４を横方向に移動するものであればよいことはいうまでもない。
【００３５】
以上のように、鍵ユニット２の識別コードにより管理するので、札２１をロックするような機構を必要とせず、札２１及び札２１を保持する各ホルダ１をそれぞれ同一の構造とすることができ、コストを低減することができる。また、複数の鍵ユニット２をホルダ１に容易に戻すことができ、さらに、簡単な構成で多数の鍵ユニット２（鍵２２）を保管できる。したがって、管理し易く使い勝手の良い管理盤（鍵保管装置）１０、あるいは鍵管理システムが得られる。
【００３６】
また、実施形態では、複数の各ホルダホルダ１，１，…に対応して該ホルダホルダ１，１，…の各々を個別に指示表示するホルダ指示表示手段としてＬＥＤ１ａ，１ａ，…を備えているので、管理盤１０をみれば、必要な鍵ユニット２の位置を容易に確認することができる。しかしながら、ホルダ指示表示手段としては、例えばパーソナルコンピュータ２０のディスプレイ等に鍵管理室Ａと管理盤１０，１０，…の配置、各管理盤１０，１０，…における鍵ユニット２の配置を、グラフィック表示等により指示表示するようなものでもよい。
【００３７】
実施形態では複数のホルダ１，１，…が２次元配列で配置されているので、このホルダ１に保持されている鍵ユニット２の位置の管理が容易になるとともに、多数のホルダ１，１，…を効率良く配置できるが、２次元配列に限定されるものではなく、任意の配置でもよい。
【００３８】
また、実施形態ではアンテナ１４が縦長で、横方向に移動可能となっているが、アンテナを横長のものとし、横一列の全ホルダに対応して識別コードを受信可能とし、このアンテナを縦方向に移動するようにしてもよい。
【００３９】
なお、実施形態では「識別コード出力手段」としてのＩＣタグが札に取り付けられてる場合について説明したが、このようなＩＣタグを鍵に取り付けるようにしてもよい。
【図面の簡単な説明】
【００４０】
【図１】本発明を適用した管理盤の平面図、正面図及び側面図である。
【図２】実施形態の管理盤のホルダに鍵ユニットを保持した状態を示す正面図である。
【図３】実施形態の管理盤におけるアンテナの送受信範囲を説明する図である。
【図４】実施形態の管理盤を用いた鍵管理システムの概略を示す図である。、実施形態の鍵管理ボックスのブロック図である。
【図５】実施形態の鍵管理システムのブロック図である。
【符号の説明】
【００４１】
１      ホルダ
２      鍵ユニット
１０    管理盤（鍵保管装置）
２０    パーソナルコンピュータ（管理手段）
３０    アンテナコントローラ
４０    電源コントローラ
１ａ    ＬＥＤ（ホルダ指示表示手段）
１１    パネル（鍵ユニット保持部）
１３    アンテナベース
１４    アンテナ
１６    ベルト（アンテナ駆動部）
１７    減速器（アンテナ駆動部）
１８    モータ（アンテナ駆動部）
２１    札
２１ａ  ワイヤ
２１ｂ  ＩＣタグ（識別コード出力手段）
２２    鍵
【図１】
2006348503.tif 000003
【図２】
2006348503.tif 000004
【図３】
2006348503.tif 000005
【図４】
2006348503.tif 000006
【図５】
2006348503.tif 000007